(57)【要約】【課題】交換システムの保守運用教育について、専用施設や教育用の設備の運搬を不要にし、高い教育効果が得られる遠隔教育システムを提供する。【解決手段】交換システムの運用保守の学習を、少なくとも２つの通信端末を介して支援する支援装置であって、交換機能及び運用保守情報交換対話機能を奏する交換機能手段と、該交換機能手段と該通信端末とネットワークを介して通信可能なサーバと、からなり、該サーバは、該交換機能手段とネットワークを介した運用保守情報の交換のための対話をなす交換機対話手段と、該端末とネットワークを介した運用保守学習情報の交換のための対話をなす端末対話手段と、該端末対話手段と該交換機対話手段の各々の対話内容を相互に関連づける関連制御手段と、からなることを特徴とする。【選択図】図１
2007233150.tif 000002
【特許請求の範囲】
【請求項１】
交換システムの運用保守の学習を、少なくとも２つの通信端末を介して支援する支援装置であって、
交換機能及び運用保守情報交換対話機能を奏する交換機能手段と、
前記交換機能手段と前記通信端末とネットワークを介して通信可能なサーバと、からなり、
前記サーバは、
前記交換機能手段とネットワークを介した運用保守情報の交換のための対話をなす交換機対話手段と、
前記端末とネットワークを介した運用保守学習情報の交換のための対話をなす端末対話手段と、
前記端末対話手段と前記交換機対話手段の各々の対話内容を相互に関連づける関連制御手段と、
からなることを特徴とする支援装置。
【請求項２】
前記交換機対話手段は、前記端末対話手段と前記端末の少なくとも１つとの間の通信セッションが確立した場合に前記交換システムとの通信セッションの設定をなすことを特徴とする請求項1記載の支援装置。
【請求項３】
前記端末対話手段は、
前記端末から送信される識別マークを受信してこれによって前記端末のクライアント種別を識別する識別手段と、
前記識別手段によって識別したクライアント種別に応じた対話手順に従った対話をなす対話制御手段と、
を含むことを特徴とする請求項１記載の支援装置。
【請求項４】
前記端末対話手段は、前記識別手段により識別された前記クライアント種別に応じた操作画面情報信号を前記端末に送信する操作画面送信手段をさらに含み、
前記関連制御手段は、前記操作画面送信手段の送信動作に並行して前記端末からの操作入力の内容に応じたコマンドを前記交換機能手段に向けて前記交換機対話手段が送出するように前記交換機対話手段を制御することを特徴とする請求項３記載の支援装置。
【請求項５】
前記関連制御手段は、前記端末対話手段と前記交換機対話手段の対話内容の対比しつつ解析を行って前記解析の結果を前記端末対話手段に送出し、前記端末対話手段は前記解析の結果に従って予め設定された複数の対話内容のうちの１つを選択して当該選択した対話内容のデータを前記端末に送出することを特徴とする請求項１記載の支援装置。
【発明の詳細な説明】
【技術分野】
【０００１】
本発明は、電話交換システムの保守運用者向け遠隔教育を提供する交換システム運用保守遠隔教育支援装置に関するものである。
【背景技術】
【０００２】
電気通信事業者が使用する電話交換機類、企業や事務所で使用される私設交換機、２０００年頃から使用され始めたソフトスイッチなど（以下、交換システムと総称する）は、ユーザへのサービス提供のために多種多様な機能を有している。そのため、これらの機能の保守管理する装置及び交換システム自体は複雑であって、交換システムを理解してその操作方法を習得するには多くの時間と経験とを要してきた。
【０００３】
一般に、電話交換システムを運用管理する保守者（以下、単に保守者と称する）に実施される交換システム教育においては、対象とする交換システムの「運用マニュアル」や、「教育資料」を用いた座学に加え、教育用に設置された実際の交換システム（以下、実機と称する）を使用した訓練を行うことが必要であった。
【発明の開示】
【発明が解決しようとする課題】
【０００４】
このため、保守者を教育するための専用施設を設けたり、遠隔で教育や訓練を実施する場合には必要な設備を運搬し事前に教育用の環境を用意したりしなければならないという問題があった。
【０００５】
教育提供者側では、施設や設備の確保やその維持管理に費用がかかった。また、遠隔地で教育を実施する場合は、近年、従来は専用のハードウェア上でしか動作し得なかった交換システムが汎用のサーバやワークステーション、パーソナルコンピュータ上でも動作するようになったとはいえ、複雑な交換システムを運搬し設備の設定を現地でしなければならないという問題があった。
【０００６】
学習する者、即ち保守者側からすると、教育用施設を利用する場合に、遠方であれば一定期間宿泊を伴うことになり、費用面での負担や時間的な拘束が起きるという不便があった。さらに、教育用資料や運用マニュアルを使用した座学と実機を用いた訓練とが別個に行われるため、教育・学習が効率よく提供されないという問題もあった
このような問題に対して、特許文献１では、教育用ウェブサーバと実習用ウェブサーバとを用意し、学習者がネットワークを通してＥＤＡ(Electronic Design Automation)ツールの習得を可能とする技術を開示している。しかし、交換システムの社会基盤・事業基盤としての性格を考えると、かかる技術では、交換システムの保守者に要求された教育レベルを満たすには不十分である。学習のそれぞれのステップにおいて、保守者から交換システムへの指示であるコマンド投入などの交換システムの動作に影響を与える運用操作（以下、「運用操作」と称する）については、単にマニュアルをみて実習してみるだけでは足りず、教育用資料や運用マニュアルで記載された事項を確実に習得できたことを確認することが必要とされるからである。特に、交換システムへのコマンド入力操作は複雑で、コマンドの持つパラメータの順序やその省略の可否、省略形を伴う表記法等を考慮して運用操作を行う必要がある。さらには、保守者は、投入するコマンドだけでなく、コマンド投入により生じる交換システムの状態及び動作の変化、コマンド応答メッセージ・自律メッセージ（保守者の運用操作によらず交換システムが自律的に発するメッセージ）等の正当性を判断できるようにならなければならない。
【特許文献１】公開特許公報  特開２００１−２９０４１１
【課題を解決するための手段】
【０００７】
本発明による支援装置は、交換システムの運用保守の学習を、少なくとも２つの通信端末を介して支援する支援装置であって、交換機能及び運用保守情報交換対話機能を奏する交換機能手段と、該交換機能手段と該通信端末とネットワークを介して通信可能なサーバと、からなり、該サーバは、該交換機能手段とネットワークを介した運用保守情報の交換のための対話をなす交換機対話手段と、該端末とネットワークを介した運用保守学習情報の交換のための対話をなす端末対話手段と、該端末対話手段と該交換機対話手段の各々の対話内容を相互に関連づける関連制御手段と、からなることを特徴とする。
【発明の効果】
【０００８】
本発明による交換システム運用保守遠隔教育支援装置によれば、運用保守情報対話機能を奏する交換システムとのネットワークを介した対話と並行して、学習者・教育提供者用端末ともネットワークを介した対話をなして両方の対話を関連づけるサーバを含むので実際に則した運用保守教育が可能である。
【発明の実施の形態】
【０００９】
以下に、本発明の実施例について図面を参照して説明する。
【００１０】
図１は、本発明の交換システム運用保守遠隔教育支援装置の実施例を示す構成図である。図１に示す交換システム運用保守遠隔教育支援装置は、学習管理システム（以下、ＬＭＳと称する）１００、交換システム２００、学習者用端末１０、教育提供者用端末２０、ＬＭＳ１００と交換システムとが通信するためのネットワークであるインターネット（以下、ＩＰと称する）等網８０、並びにＬＭＳ１００と学習者用端末及び教育提供者用端末２００とが通信するためのネットワークであるＩＰ網９０からなる。
【００１１】
交換システム２００、即ち交換機能手段は、教育の対象となる交換システムである。交換システム保守者教育の目的からすれば、実機が望ましいが、実機と同等の運用保守に関するコマンドインタフェース（即ち、運用保守対話機能）を有して保守者の運用操作に対して実機と全く同じ応答をするシミュレータを利用してもよい。シミュレータとしては、例えば交換システムの内対保守者インタフェースを擬似するために必要な最低限のハードウェア及びソフトウェアを備えたコンピュータシステムなどがある。交換システム２００は、ＩＰ網等８０内の通信経路８１を介してＬＭＳ１００との間に設定確立される通信セッションによって対話可能となり、ＬＭＳ１００からの交換システムの起動、構成変更、交換システム向けコマンド等を受付け、それらに対して応答を返す。交換システム２００は、このためのＬＭＳ１００によるアクセスを許容している。ＩＰ網等８０は、典型的にはＩＰ（インターネットプロトコル）を利用したＩＰ網であり、ＡＴＭなどのその他の網であってもよく、ＬＭＳ１００と交換システム２００との間の通信を、例えば、ＩＥＴＦ(Internet Engineering Task Force)がＲＦＣ８５４で規定するｔｅｌｎｅｔによって実現することが可能である。また、ＩＰ網等８０をＩＰ網９０と同一のものとしてもよい。
【００１２】
学習者用端末１０は、パーソナルコンピュータ等（以下、ＰＣと称する）のコンピュータシステムであって、ＩＰ網９０内の通信経路９１を介してＬＭＳ１００との間に設定確立される通信セッションによって対話可能となる。学習者は、ＬＭＳ１００が学習者用端末１０に送信する交換システム２００に関する教育資料や保守マニュアルを学習者用端末１０の画面上で見てコマンド投入などの保守操作を実行する。投入されたコマンドは、ＬＭＳ１００を介して交換システム２００へ送信される。交換システム１００の応答は、ＬＭＳ１００を介して端末１０の画面上で学習者によって確認される。学習者用端末１０は複数存在してもよい。
【００１３】
教育提供者用端末２０は、同様にＰＣ等であって、ＩＰ網９０の通信経路９２を介しＬＭＳ１００との間に設定確立される通信セッションによって対話可能となる。教育提供者が識別手段であるアクセス管理１１５において認証されると、ＬＭＳ１００に対話制御された対話手順に基づき教育提供者用端末２０に表示される内容に従って以下の作業を実施できる。
・学習者の登録
・交換システムアクセス情報の設定
・学習者が学習者用端末１０を用いて行う質問に対する回答などの教育支援
・ＬＭＳ１００内に記憶される教育資料１２１の編集及び設定
・ＬＭＳ１００内に記憶される保守運用マニュアル１２２の設定
・ＬＭＳ１００内に記憶される期待応答パターン１６１の設定
・交換システムの構成条件の設定（図示せず）。この設定には、交換システムが起動され  るときに参照する構成条件ファイルを作成し、交換システム２００とＬＭＳ１００が適  正に連動できるようにすることなどがある。
【００１４】
これらの機能は、ＬＭＳ１００内部の端末対話手段により、かつ／または、ＬＭＳ１００の交換システム２００に対する交換機対話手段により実行される。端末対話手段には、アクセス管理１１５、後述の学習通信制御機能１１０及び教材配信機能１２０等が含まれる。また交換機対話手段には、後述の交換システム通信制御機能１５０、交換システムアクセス管理１５５等が含まれる。
【００１５】
教育提供者用端末２０も複数存在してもよい。
【００１６】
ＬＭＳ１００は、汎用サーバ、パーソナルコンピュータ等のコンピュータシステムである。ＬＭＳ１００は、端末対話手段を用いて、認証された学習者用端末１０へ教育資料及び保守運用マニュアル等からなる運用保守学習情報を送信すると共に、運用保守学習情報に対応させて交換システム２００への運用操作を促すメッセージや画面も表示させる。次に、学習者用端末１０から行われた運用操作を交換機対話手段を用いて、交換システム２００へ中継しさらに運用操作に対する交換システム２００からの応答を受信する。この時、ＬＭＳ１００は、関連制御手段を用いて、行われた運用操作に対する交換システム２００からの応答が教育資料の内容に沿ったものであるかどうか、言い換えれば、学習者の行った運用操作が教育資料で求められるものに合致するかどうかをチェックする。関連制御手段には後述のコマンド応答解析機能１６０等が含まれる。
【００１７】
以下に、ＬＭＳ１００の構成を説明する。ＬＭＳ１００は、１つの交換システム１００に対して複数設けられてもよい。ＬＭＳ１００の提供する機能は単一のコンピュータシステムで構成されてもよいし、複数のコンピュータシステムで構成されてもよい。
【００１８】
ＮＷインタフェース１０１はＩＰ網９０と接続するための装置である。交換システムインタフェース１０２はＩＰ網等８０と接続するための装置である。ＩＰ網等８０がＩＰ網である場合には、交換システムインタフェース１０２をＮＷインタフェース１０１が兼ねてもよい。学習通信制御機能１１０は、学習者用端末１０との通信を制御し、以下の機能を実行する。
【００１９】
（１）学習者用端末１０からの要求に基づくアクセス制御を行う。
【００２０】
（２）学習者用端末１０への教育資料及び保守運用マニュアルの送信を行う。
【００２１】
（３）学習者用端末１０への保守運用操作の要求を行う。
【００２２】
（４）学習者用端末１０で行われた保守運用操作を交換システム通信制御機能１５０経由で交換システム２００へ中継する。
【００２３】
（５）交換システム２００からコマンド応答メッセージ、自律メッセージ等を受信して交換システム通信制御機能１５０経由で学習者用端末１０へ送信する。
【００２４】
（６）コマンド応答メッセージを解析してその結果に応じた処理を行う。
【００２５】
学習通信制御機能１１０により、学習者用端末１０の画面上には、例えば、図２のイメージが表示される。
【００２６】
アクセス管理１１５は、学習通信制御機能１１０の要求に応じて、学習者用端末１０から行われた認証要求を学習者ＤＢ１１６内にある学習者の認証情報を参照し実行する。学習者ＤＢ１１６は、事前に登録された学習者に関する、氏名、連絡先（電子メールアドレスや電話番号等）、認証情報、学習履歴などの情報が記憶されたデータベースである。教材配信機能１２０は、交換システム２００に関する教育資料１２１及び保守マニュアル１２２を管理し、学習者用端末１０へ送信するための画像情報に変換するものである。画像情報としては、例えばＨＴＭＬ（ハイパーテキストマークアップランゲージ）が使用される。教材配信機能１２０から送信された画像情報により、例えば図３のようなイメージが、学習者用端末１０の画面上に表示される。教育資料１２１は、交換システムの保守運用操作を説明した教育用資料である。教育用資料１２１には、学習者が、コマンド発行のような運用操作を行うべきポイントを示す標識が後述のパターンＩＤと共に埋め込んである。パターンＩＤにより期待応答パターンＤＢ内に記憶された関係する期待応答パターンを抽出することができる。埋め込まれたポイントを教材配信機能１２０が検出すると、教材配信機能１２０は、例えば図５のような記述を学習者用端末１０へ送信する画像情報に埋め込ませる。図５の例は、ＨＴＭＬによるものであり、学習者が次の教材に進む際に、教材配信機能１２０は、“ｔｘｔＰｏｉｎｔ”の値を読むことにより運用操作ポイントであることを、“ＰｔｎＩＤ”の値を読むことによりパターンＩＤであることを知ることができる。
【００２７】
保守運用マニュアル１２２は、交換システム２００の保守運用操作のための情報を記憶したものである。例えば、交換システム２００の起動方法、構成の設定・変更のためのコマンド等の運用操作、交換システムからの応答／自律メッセージ、障害対応方法等について網羅された詳細な情報である。保守運用マニュアル１２２は、交換システムの保守運用機能の学習に必要なものであるが、省略することも可能である。
【００２８】
交換システム通信制御機能１５０は、ＬＭＳ１００と交換システム２００との通信を制御し、例えば交換システム２００へのコマンドの発行や交換システム２００からの応答／自立メッセージの受信を管理する。交換システム通信制御機能１５０がメッセージを交換システム２００から受信すると、コマンドの正当性をチェックするためにそれらをコマンド応答解析機能１６０に送信する。
【００２９】
交換システムアクセス管理１５５は、ＬＭＳ１００と交換システム２００との通信開始時に、交換システム２００からのＬＭＳ１００に対する認証要求に対して処理を行う。
【００３０】
コマンド応答解析機能１６０は、交換システム２００からのコマンド応答メッセージと、予め期待応答パターンＤＢ１６１に記憶された期待応答パターンとを照合して、コマンド応答メッセージが期待されたものかどうかの判定を行う。ここで、期待応答パターンとは、例えば正規表現で書かれたテキストである。図３には、正規表現を使って記述された期待応答パターンが示されている。正規表現を用いることにより、交換システム２００から送出されたコマンド応答メッセージにおいてメッセージ毎に異なる部分、例えば日時を表す情報、も含めて照合することができる。よって、チェックの範囲やレベルを柔軟に変更して照合を行うことができる。
【００３１】
以下に、コマンド応答メッセージとそれに対する可能な期待応答パターンの例を示す。
【００３２】
例えば、コマンド応答メッセージの一部に以下の2行が含まれているとする。
xxxx Command Done.
2005/09/07 12:00:00
この部分に対する期待応答パターンとして、次のような記述が可能である。これらの期待応答メッセージが照合されるとすべて成功裏に終わる。
（ａ）全く同じイメージで記述したもの。ただし、記述中の“￥．”はピリオドを、“￥／”はスラントを表すものとする。
xxxx Command Done\.
2005\/09\/07
（ｂ）日時部分について形式だけの照合を行うもの。ただし、記述中の“￥ｄ”は、０から９の任意の文字列を表す。この例では、例えば日時が、05/09/07やH17/09/07の場合には照合は失敗となる。
xxxx Command Done\.
\d\d\d\d\/\d\d\/\d\d
（ｃ）日時部分の形式及びコマンド名（応答メッセージのxxxx部分）について照合を行うもの。ただし、記述中の".+"は１つ以上の任意の文字を表す。
.+ Command Done\.
\d\d\d\d\/\d\d\/\d\d
（ｄ）すべてを任意としたもの
.+
.+
期待応答パターンＤＢ１６１は、上記したような期待応答パターンが予め記憶されているデータベースである。複数の期待応答パターンを持つことが可能であり、各期待応答パターンは、図６に示すように、データベース内でユニークに他から識別するためのパターンＩＤを付与されている。
【００３３】
期待応答パターン作成機能１９０は、教育提供者が教育提供者用端末２０を介して期待応答パターンを作成するために利用する機能である。例えば、交換システム２００に所望のコマンドを実際に発行し、その結果得られるコマンド応答メッセージを利用しかつ／または編集して期待応答パターンを作成することができる。また、教育提供者用端末２０上で例えばテキストエディタなどを用いて期待応答パターンを作成して、期待応答パターンＤＢ１６１へ記憶させることも可能である。
【００３４】
また、教育提供者が教育提供者用端末２０により、期待応答パターン作成機能を介して期待応答パターンＤＢ１６１内を参照し、期待応答パターンとそれに対応するパターンＩＤを得ることもできる。このパターンＩＤは、教育資料の運用操作実行ポイントに埋め込んでおき、このポイントで実行される運用操作によるコマンド応答メッセージと期待応答パターンを対応づけるために使用される。
【００３５】
次に、図４を参照して、図１に示す交換システム運用保守遠隔教育支援装置の動作について詳細に説明する。
【００３６】
学習者の学習開始前に、教育提供者は、教育提供者用端末２０から、ＬＭＳ１００及び交換システム２００に対話機能による対話を通して必要に応じて以下の事前準備を行う。
（１）交換システム２００の起動に必要な初期構成ファイル（加入者データ、局データ、      システムコンフィギュレーションファイル等）をインストールする。
（２）交換システム２００の起動を行う。
（３）交換システム２００でＬＭＳ１００のアクセスを許容する。
（４）期待応答パターンを作成する。これは、教育資料と照合して、例えば、実際に交換システム２００の運用操作を行なって得た結果を利用して作成することが望ましい。
（５）作成した期待応答パターンをＬＭＳ１００の期待応答パターンＤＢ１６１への登録する。この時に登録した期待応答パターンについてパターンＩＤを取得しておく。
（６）交換システム２００に対する教育資料１２１及び保守マニュアル１２２をＬＭＳ１００に設定する。
（７）ＬＭＳ１００の教育資料１２１を必要であれば編集し、運用操作が必要となるポイントに、パターンＩＤを設定する。また、必要があれば、該ポイントでの運用操作の前提となる交換システム２００の状態を設定するためにＬＭＳ１００から自動的に実行される運用操作用の情報を教育資料１２１の該ポイントに関連させて設定しておく。これは、該ポイントで学習者が、例えば特定の加入者情報の削除といった運用操作を求められる場合に、対象となる加入者情報を学習者の運用操作に先立って設定しておく等の処置である。
【００３７】
さらに、パターンＩＤを設定した場合には、学習者用端末１０からの運用操作に対するコマンド応答メッセージ／自律メッセージと該パターンＩＤに相当する期待応答パターンとの照合の結果による処理の継続方法についても指定しておく。これは、例えば、照合に成功した場合には教育資料を次に進めることや、失敗の場合には学習者用端末１０に再度の保守操作を求めるメッセージを送信することなどといった、続く処理方法の指定である。失敗の場合には、教育資料を先に進めることなく再度表示することや他の箇所を表示することなどを設定してもよい。
（８）学習者の必要な情報をＬＭＳ１００の学習者ＤＢに登録してログイン可能にしておく。
【００３８】
次に、学習者が学習者用端末１０からＬＭＳ１００へアクセスの要求を出すと、この要求はＮＷインタフェース１０１を介して学習通信制御機能１１０で受信される。学習通信機能１１０はアクセス管理１１５の機能を用いて、学習者のアクセスの可否を判断する。アクセス管理１１５は、学習者用端末１０との間で例えばＨＴＴＰ認証によりユーザ名・パスワードをやり取りし、学習者ＤＢの情報を用いて学習者の認証を行う。アクセス承認を得られなかった学習者は以後のアクセスが許されない（Ｓ４０１）
アクセスを承認された学習者が学習を開始するに当たって、学習通信制御機能１１０は、学習者ＤＢ内に記憶されている該学習者の情報を参照し、必要であれば交換システム２００の初期設定を行う（Ｓ４０２）。これは、例えばＬＭＳ１００と交換システム２００との通信の確保や学習者用端末１０から学習用に交換システム２００全体としてまたは交換システム２００内のリソースを利用可能とするための処理である。これらの処理は、図１の交換システム通信制御機能１５０及びそれに関連する機能も利用して実行される。
【００３９】
次に、学習通信制御機能１１０は教材配信機能１２０に制御を渡す。教材配信機能１２０は、学習者についての情報から学習履歴などを参照しながら、学習者用端末１０とやり取りし、入力される要求に基づいて教育資料１２１及び保守運用マニュアル１２２を当該学習者向けの画面情報に編集して送信する（Ｓ４０３）。
【００４０】
この画面情報の配信は、学習者用端末１０から入力される指示に従って随時画面情報を更新することで進められる。このような機構は、例えばＨＴＭＬを使用している場合には、図５のような記述を画面情報内に入れておくことにより可能である。この際に、学習者が学習の終了を指示した場合には、配信を終了する（Ｓ４０４）。学習者が運用操作を要求されるポイントに来たと判断した（Ｓ４０５）場合には、運用操作用の画面を編集して学習者用端末１０に送信する（Ｓ４０６）。学習者は、学習者用端末１０から教育資料の指示に従ってコマンドを投入する（Ｓ４０７）。図２の１３は運用操作用画面の一例を示している。この例では、画面下方部分１６に交換システム２００に対するコマンドを入力し、画面中央部分１５にそのコマンドに対する応答メッセージが表示される構成となっている。
【００４１】
教材通信制御機能１１０が学習者用端末１０からコマンドを受信すると、その受信コマンドと教育資料に設定されているパターンＩＤや交換システムの動作条件などを図１の交換システム通信制御機能１５０に渡して、交換システム通信制御機能１５０からの応答を待つ。交換システム通信制御機能１５０は交換システム２００の状態設定を行う（Ｓ４０８）。例えば、交換システムアクセス管理１５５を起動して、交換システム２００との通信を設定したり、動作条件によっては交換システム２００へ事前にコマンド送信を行う。次に、受信コマンドを交換システム２００に送信し（Ｓ４０９）、応答を待つ。
【００４２】
交換システム２００は、コマンドを受信すると、それを解釈して必要な処理を実行し、ＬＭＳ１００へコマンド応答メッセージを送信する。交換システム通信制御機能１５０が、このコマンド応答メッセージを受け取って（Ｓ４１０）、教材配信機能１２０へ送信する。教材配信機能１２０は、受け取ったコマンド応答メッセージを学習者用端末１０に送信して画面情報を更新する（Ｓ４１１）。同時に、コマンド応答メッセージとパターンＩＤを送信してコマンド応答解析機能１６０を起動し、コマンド応答メッセージの解析を行わせ（Ｓ４１２）、その解析結果を待つ。
【００４３】
コマンド応答解析機能１６０は、与えられたパターンＩＤに対応する期待応答パターンを期待応答パターンＤＢ１６１から取得し、受信したコマンド応答メッセージと照合する。照合は先に説明したように例えば正規表現を使って行われ、照合の結果は、交換システム通信制御機能１５０を介して教材配信機能１２０へ送信される。教材配信機能１２０は、解析結果と教育資料に記述された次処理とに従って画面の更新情報を学習者用端末１０に送信する。例えば、照合が正常終了していれば、次教材を提供することや、照合が失敗であれば、再度同一の内容を提示したり、また失敗に終わったことを特別に説明する別の教材を提示することが考えられる（Ｓ４１３）。
【００４４】
以上のステップは、学習者用端末１０から学習終了の指示が来るまで繰り返し実行される。
【００４５】
本発明による交換システム運用保守遠隔教育支援装置によれば、ＬＭＳ１００は、例えば、学習者が投入するコマンドのシンタックスを知る必要や、交換システムが返すコマンド応答メッセージの意味を解釈する必要がないため、ＬＭＳ１００において交換システムの詳細を考慮した実装をする必要がない。言い換えると、ＬＭＳ１００では与えられたパターンに従ってパターン照合のみを行えばよいだけである。従って、交換システムとＬＭＳとが標準的なインタフェースで接続可能であれば、特定の交換システムに限定することなく、様々な交換システムに対する保守運用の遠隔教育を実施することができ、柔軟性の高いシステムを提供することができる。
【図面の簡単な説明】
【００４６】
【図１】本発明による交換システム運用保守遠隔教育支援装置の実施例を示すブロック図である。
【図２】本発明による学習者用端末に表示される画面の一例を示す図である。
【図３】学習者用端末へ送信された画像情報の一例を示す図である。
【図４】本発明の実施例における交換システム運用保守遠隔教育の処理を示す図である。
【図５】教育用資料に埋め込まれた運用操作ポイント及びパターンＩＤのＨＴＭＬによる記述例を示す図である。
【図６】パターンＩＤと期待応答メッセージとの対応の一例を示す図である。
【図１】
2007233150.tif 000003
【図２】
2007233150.tif 000004
【図３】
2007233150.tif 000005
【図４】
2007233150.tif 000006
【図５】
2007233150.tif 000007
【図６】
2007233150.tif 000008